(57)【要約】【課題】曳航時の抵抗を削減して、省エネルギ化を実現することができるビームカバー及び網装置を提供する。【解決手段】ビームカバー３Ａは、流体中に挿入されビーム２の側面の少なくとも一部に巻かれている。密着部１０は、長手方向に交差する方向に流体が流れたときに、ビーム２の側面に密着している。張り出し部１１は、流体の流れに沿ってビーム２の後方に延びている。密着部１０と張り出し部１１とで、流体の流れに沿って流線型の外形断面が形成されている。【選択図】図３
2016119891.tif 000002
【特許請求の範囲】
【請求項１】
流体中に挿入される棒状の構造体であるビームの側面の少なくとも一部に巻かれるビームカバーであって、
前記ビームの長手方向に交差する方向に前記流体が流れたときに、前記構造体の側面に密着する密着部と、
前記流体の流れに沿って前記構造体の後方に延びる張り出し部と、
が形成され、
前記密着部と前記張り出し部とで、前記流体の流れに沿った流線形状の外形断面が形成される、
ビームカバー。
【請求項２】
前記流体の流れに沿った方向に関する前記密着部及び前記張り出し部の全長が、前記棒状体の直径の３倍以上である、
請求項１に記載のビームカバー。
【請求項３】
前記流体の流れに沿った方向に関する前記密着部及び前記張り出し部の全長が、前記棒状体の直径の５倍である、
請求項１に記載のビームカバー。
【請求項４】
布地、化学繊維素材、天然繊維素材、プラスチック素材又はフィルム素材類の少なくとも１つで構成されている、
請求項１から３のいずれか一項に記載のビームカバー。
【請求項５】
亜麻糸、絹糸、綿糸あるいは、それらの混織で構成される粗布である帆布で構成されている、
請求項４に記載のビームカバー。
【請求項６】
剛性素材又は剛性素材と布地、化学繊維素材、天然繊維素材、プラスチック素材、フィルム素材類の少なくとも１つの組み合わせで構成されている、
請求項１から３のいずれか一項に記載のビームカバー。
【請求項７】
棒状の構造体としてのビームと、
前記ビームの側面に巻かれた請求項１から６のいずれか一項に記載のビームカバーと、
前記ビームに取り付けられた網部と、
を備える網装置。
【請求項８】
底びき網、定置網、海苔網、生簀網及び魚礁のいずれかとして用いられる、
請求項７に記載の網装置。
【発明の詳細な説明】
【技術分野】
【０００１】
本発明は、ビームカバー及び網装置に関する。
【背景技術】
【０００２】
小型底びき網は、日本国内の底びき網総漁獲量の５４．０％を占める（平成２５年漁業・養殖業生産統計より）。図１１には、小型底びき網の一例が示されている。大型の底びき網は、オッターボードを用いてトロール網の網口を横方向に広げている（例えば、特許文献１〜３参照）。これに対して、図１１に示すように、小型底びき網では、その網口を横方向に広げるため、棒状の構造体であるビーム２の両端にトロール網が取り付けられている。そのビーム２が船舶により矢印Ａの方向に曳航され、ビーム２により横方向に広げられた網口から魚類が袋網内に取り込まれる。
【先行技術文献】
【特許文献】
【０００３】
【特許文献１】特開２０１０−１８３８７７号公報
【特許文献２】特開平５−２５２８５１号公報
【特許文献３】実開昭６１−１９３７６６号公報
【発明の概要】
【発明が解決しようとする課題】
【０００４】
しかしながら、図１１に示す小型底びき網では、船舶により曳航したときに、ビーム２の後方に渦流が発生し、流体抵抗が増大する。これは、通常使われるビームが円形断面形状であるためである。この流体抵抗の増大を受けて、図１２に示すように、ビーム２自体が変形（湾曲）したり振動したりするうえ、船舶の燃費が悪化するおそれがある。
【０００５】
本発明は、上記実情に鑑みてなされたものであり、曳航時の抵抗を削減して、省エネルギ化を実現することができるビームカバー及び網装置を提供することを目的とする。
【課題を解決するための手段】
【０００６】
本発明の第１の観点に係るビームカバーは、
流体中に挿入される棒状の構造体であるビームの側面の少なくとも一部に巻かれるビームカバーであって、
前記ビームの長手方向に交差する方向に前記流体が流れたときに、前記構造体の側面に密着する密着部と、
前記流体の流れに沿って前記構造体の後方に延びる張り出し部と、
が形成され、
前記密着部と前記張り出し部とで、前記流体の流れに沿った流線形状の外形断面が形成される。
【０００７】
前記流体の流れに沿った方向に関する前記密着部及び前記張り出し部の全長が、前記棒状体の直径の３倍以上である、
こととしてもよい。
【０００８】
前記流体の流れに沿った方向に関する前記密着部及び前記張り出し部の全長が、前記棒状体の直径の５倍である、
こととしてもよい。
【０００９】
布地、化学繊維素材、天然繊維素材、プラスチック素材又はフィルム素材類の少なくとも１つで構成されている、
こととしてもよい。
【００１０】
亜麻糸、絹糸、綿糸あるいは、それらの混織で構成される粗布である帆布で構成されている、
こととしてもよい。
【００１１】
剛性素材又は剛性素材と布地、化学繊維素材、天然繊維素材、プラスチック素材、フィルム素材類の少なくとも１つの組み合わせで構成されている、
こととしてもよい。
【００１２】
本発明の第２の観点に係る網装置は、
棒状の構造体としてのビームと、
前記ビームの側面に巻かれた本発明のビームカバーと、
前記ビームに取り付けられた網部と、
を備える。
【００１３】
底びき網、定置網、海苔網、生簀網及び魚礁のいずれかとして用いられる、
こととしてもよい。
【発明の効果】
【００１４】
本発明によれば、流体の流れに沿って外形断面が流線形状となるビームカバーをビームに装着する。このビームカバーにより、流体の流れにビームを置いたときに発生するビーム後方の渦流の発生を抑制し、流体抵抗を小さくすることができるため、円形断面形状のビームの流体抵抗を３０％から６７％程度低減することができる。従って、エネルギ（燃油・労力）の節減、経費節減を達成することができる。また、ビームの変形及び振動を抑えることができる。この結果、曳航時の抵抗を削減して、省エネルギ化を実現することができる。
【図面の簡単な説明】
【００１５】
【図１】本発明の実施の形態１に係る底びき網の構成を示す斜視図である。
【図２】ビームカバーを示す図である。
【図３】曳航中のビーム及びビームカバーの側面図である。
【図４】網口高さと曳網速度との関係を示す図である。
【図５】曳網速度と流体抵抗との関係を示す図である。
【図６】テント生地とポリエステル生地とを用いた場合の流体抵抗を示す図である。
【図７】ビームと様々なサイズのビームカバーを示す図である。
【図８】図８（Ａ）及び図８（Ｂ）は、ビームカバーの長さと流体抵抗との関係を示す図である。
【図９】本発明の実施の形態２に係る底びき網の構成を示す図である。
【図１０】本発明の実施の形態３に係る網装置の構成を示す図である。
【図１１】従来の底びき網の構成を示す斜視図である。
【図１２】ビームが振動する様子を示す図である。
【発明を実施するための形態】
【００１６】
本発明の実施の形態について図面を参照して詳細に説明する。
【００１７】
実施の形態１．
まず、本発明の実施の形態１について説明する。
【００１８】
図１には、本実施の形態に係る底びき網１が、船舶により曳航されている状態が示されている。図１に示すように、底びき網１は、ビーム２と、ビームカバー３Ａと、トロール網４と、を備える。
【００１９】
ビーム２は、棒状の構造体である。ビーム２は、軽量化のために、竹やＦＲＰ（Fiber Reinforced Plastics）で構成されている。ビーム２は、長手方向の両端に取り付けられたワープ５Ａ、５Ｂで船舶とつながっている。これにより、船舶により底びき網１の曳航が行われた場合、ビーム２は、海中（流体中）を、その長手方向に交差する矢印Ａの方向に進むようになる。ビーム２は、トロール網４の網口を開口させるために設けられている。ビーム２の長手方向の長さは、例えば７．５ｍである。
【００２０】
ビームカバー３Ａは、ビーム２の側面に巻かれている。図２に示すように、ビームカバー３Ａは、ビーム２を囲むように円筒状に閉じられた一枚の布である。すなわち、ビームカバー３Ａは、布地のソフトな素材で構成されている。例えば、テント生地（帆布、すなわち亜麻糸、絹糸、綿糸あるいは、それらの混織で構成される粗布）をビームカバー３Ａの素材として用いることができる。テント生地としては、ポリエステル繊維布の表面もしくは両面に塩化ビニル樹脂、アクリル樹脂、ポリエステル樹脂など、アクリル樹脂フィルムと熱融着可能な熱可塑性合成樹脂層を設けたものを用いることができる。
【００２１】
トロール網４は、底びき用の網である。トロール網４は、ヘッドロープ４Ａと、グランドロープ４Ｂと、袖網部４Ｃ、４Ｄと、袋網部４Ｅとを備えている。ヘッドロープ４Ａは、上側（海面側）に張られるロープであり、グランドロープ４Ｂは下側（海底側）に張られるロープである。
【００２２】
ヘッドロープ４Ａとグランドロープ４Ｂの両端は、ワイヤ６Ａ、６Ｂ、７Ａ、７Ｂにそれぞれ接続され、そのワイヤ６Ａ、６Ｂ、７Ａ、７Ｂがビーム２の両端に接続されている。ヘッドロープ４Ａには浮きが取り付けられ、グランドロープ４Ｂには、おもりが取り付けられている。
【００２３】
袖網部４Ｃ、４Ｄと袋網部４Ｅとは一体で袋状の漁網を形成している。この漁網の上辺がヘッドロープ４Ａに取り付けられ、漁網の下辺がグランドロープ４Ｂに取り付けられている。ヘッドロープ４Ａは浮きにより海面近くに保持され、グランドロープ４Ｂはおもりにより海底近くに保持される。以上の構成により、船舶で底びき網１を曳航すると、ビーム２によってトロール網４の横方向に網口が広げられ、ヘッドロープ４Ａ及びグランドロープ４Ｂによってトロール網４の縦方向に網口が広げられ、結果的に、網口が全体的に広がり、トロール網４に魚類が入りやすくなる。
【００２４】
ここで、ビーム２に発生する抵抗をＲBEAMとし、トロール網４に発生する抵抗をＲNETとする。この場合、底びき網１全体の流体抵抗である漁具抵抗Ｒは以下のようになる。
Ｒ＝ＲBEAM＋ＲNET
【００２５】
図３には、ビーム２及びビームカバー３Ａを側面から見た図が示されている。図３に示すように、船舶などで曳航されると、ビームカバー３Ａにおける進行方向前側の部分については、ビーム２に密着するようになる。ビーム２に密着する部分を密着部１０とする。
【００２６】
また、船舶による曳航中、ビームカバー３Ａにおける流体の進行方向後ろ側の部分については、流体の流れに沿ってビーム２の後方に張り出すようになる。このビーム２の後方に張り出した部分を、張り出し部１１とする。
【００２７】
ビームカバー３Ａでは、密着部１０と張り出し部１１とで、全体として流線型の外形断面が形成される。図３には、ビームカバー３Ａの流体の流れが矢印で示されている。図３に示すように、ビームカバー３Ａにより、流体がビーム２後方に巻き込まれないようになっているため、渦流の発生が抑制されている。このため、ビーム２にかかる流体抵抗が小さくなり、ビーム２の変形や上下運動（振動）が低減されている。
【００２８】
ビームカバー３Ａは、ビーム２を回転軸として回動可能である。これにより、流体の流れに応じてビームカバー３Ａが自在に向きを変えることができる。
【００２９】
本実施の形態に係る底びき網１に関連して、ビームカバー３Ａの効果の実証実験を行った。
【００３０】
（実験その１）
まず、底びき網１の模型（模型網）を作製し、曳網中に作用する流体抵抗の軽減効果について立証実験を行った。この立証実験の結果求められた曳網速度と綱口高さ（ヘッドロープ４Ａの中央部）の関係を図４に、曳網速度と流体抵抗の関係を図５に示す。図４に示すように、網口高さと曳網速度との関係は、ビームのみ（原型）の場合も、底びき網１のビーム２にビームカバー３Ａを取り付けても、また、ビーム２を取り外して支持棒に直接取り付けても（ビームなし）ほとんど変化がなかった。
【００３１】
図５から曳網速度Ｖfと流体抵抗Ｆf（Ｒに相当）との関係は、次のような式で近似することができる。
底びき網（ビームのみ（原型））    Ff＝３５．８×Vｆ1.92
底びき網（ビームカバー有）        Ff＝２１．８×Vｆ2.07
底びき網（ビームなし）            Ff＝１６．２×Vｆ2.13
【００３２】
このように底びき網１に作用する流体抵抗は、曳網速度のほぼ２乗に比例していたことから、次にそれぞれの流体抵抗の比較がし易いように、曳網速度の２乗の式で近似式を求めた。
底びき網（ビームのみ）            Ff＝３３．４×Vｆ2
底びき網（ビームカバー有）        Ff＝２５．２×Vｆ2
底びき網（ビームなし）            Ff＝１８．８×Vｆ2
【００３３】
以上の式の係数を比較することで、底びき網（ビームのみ）に対する流体抵抗の増加率を、以下の表のようにまとめることができる。
【表１】
2016119891.tif 000003
表１から、底びき網１のビーム２にビームカバー３Ａを取り付けることによって、流体抵抗Ｒが０．７５倍になることが明らかになった。また、ビーム２のみ（原型）とビーム２なしの場合を比較すると、底びき網１に作用する流体抵抗Ｒの中で、ビーム２及び身網部分に作用する流体抵抗Ｒ、すなわちＲBEAM、ＲNETの割合は、それぞれ全体の５６％、４４％であるといえる。以上のことから、ビームカバー３Ａは、底びき網１に作用する流体抵抗Ｒを減少させるうえで、非常に有効であることがわかる。
【００３４】
（実験その２）
次に、鉄製の枠にビーム２の模型を取り付けて流体中に挿入し、流速を変化させて三分力計を用いて流体抵抗の測定（サンプリング）を行った。ビームカバー３Ａには、テント生地とポリエステル生地とを用いた。ビーム２の模型に取り付けた時のビームカバー３Ａのサイズを、９３ｃｍ×８ｃｍとした。
【００３５】
流体抵抗Ｄと流速Ｖの関係式は、それぞれ以下のようになった。
ビーム２のみ                        Ｄ＝１．１８７Ｖ2
ビームカバー３Ａ（テント生地）      Ｄ＝０．８５９Ｖ2
ビームカバー３Ｂ（ポリエステル生地）  Ｄ＝０．８５７Ｖ2
【００３６】
これらの関係式の係数を比較するとわかるように、ビーム２の模型にテント生地又はポリエステル生地のビームカバー３Ａを装着することによって、流体抵抗がそれぞれ２７．６％、２７．８％減少することが示された。
【００３７】
図６に示すように、流速が１．２ｍ／ｓのときの流体抵抗は、ビーム２のみでは振動していたが、ビームカバー３Ａを取り付けることによってビーム２の振動が減少した。特にビームカバー３Ａをテント生地とした場合には、顕著にその振動が減少した。ビームカバー３Ａをポリエステル生地とした場合には、厚さが０．１０ｍｍで薄かったこともあり、張り出し部１１が、流水中でヒラヒラとなびいているのが観測されたが、テント生地のビームカバー３Ａでは、流水の流れによってなびくことはなく、翼のような形状を保持していた。
【００３８】
これらのことから、ビームカバー３Ａを取り付けることによって、流体抵抗が減少するだけでなく、ビーム２の振動も軽減されることが示された。
【００３９】
（実験その３）
次に、１／７縮尺模型について、流体の流れる方向に関してさまざまな長さのビームカバー３Ａを用意し、各ビームカバー３Ａを用いた場合に発生する流体抵抗について調べた。
【００４０】
図７に示すように、ビーム２の直径をＤとした場合に、流体が流れる方向に関する各ビームカバー３Ａの長さをそれぞれ２Ｄ、３Ｄ、４Ｄ、５Ｄとした。また、図７では図示していないが、長さ６Ｄ、７Ｄ、８Ｄのビームカバー３Ａも用意した。図８（Ａ）は、曳網速度が２．５ノットである場合で、各ビームカバー３Ａを用いた場合の、ビームのみに対する抵抗の変化率を示すグラフである。図８（Ａ）に示すように、長さ２Ｄのビームカバー３Ａについては、流体抵抗の変化が見られなかったが、長さ３Ｄ〜６Ｄのビームカバーについては、ビーム２のみの場合に対する流体抵抗の変化率が、０．７０以下に下がり、流体抵抗の減少が見られた。なかでも、長さ５Ｄのビームカバーについては、ビーム２のみの場合に対する流体抵抗の変化率が、０．４３と最小となった。
【００４１】
図８（Ｂ）は、曳網速度が３．０ノットである場合の各ビームカバー３Ａを用いた場合の、ビーム２のみに対する変化率を示すグラフである。図８（Ｂ）に示すように、曳網速度が３．０ノットである場合にも、長さ２Ｄのビームカバー３Ａについては、抵抗の変化が見られなかったが、長さ３Ｄ〜６Ｄのビームカバー３Ａについては、ビーム２のみの場合に対する流体抵抗の変化率が、０．７０以下に下がり、流体抵抗の減少が見られた。なかでも長さ５Ｄのビームカバー３Ａについては、ビーム２のみの場合に対する流体抵抗の変化率が、０．４３と最小となった。
【００４２】
以上の実験結果から、ビームカバー３Ａの長さが、ビーム２の直径Ｄの３倍以上が望ましいことが明らかとなった。最も好ましくは、長さ５Ｄのビームカバー３Ａが最も抵抗を軽減できることが判明した。
【００４３】
なお、直径２Ｄのビームカバー３Ａにおいて、流体抵抗が減少しなかったのは、流体の流れ方向に関する長さが短く、長手方向に交差する外形断面が流線型にならなかったためと推定される。
【００４４】
実施の形態２．
次に、本発明の実施の形態２について説明する。
【００４５】
本実施の形態に係る底びき網１は、図９に示すように、ビームカバー３Ａの代わりにビームカバー３Ｂを備える。ビームカバー３Ｂは、布製ではなくハードな剛性素材で構成されている。例えば、プラスチックを、ビームカバー３Ｂの素材として用いることができる。
【００４６】
ビームカバー３Ｂの外形断面も流体中に置いたときに、図９に示すような流線型となっている。これにより、上記実施の形態１に係るビームカバー３Ａと同様に、ビーム２の後方の渦流の発生が抑制される。
【００４７】
ビームカバー３Ｂは、ビーム２に対して回動可能である。これにより、流体の流れに応じてビームカバー３Ｂが自在に向きを変えることができる。
【００４８】
実施の形態３．
次に、本発明の実施の形態３について説明する。
【００４９】
図１０に示すように、本実施の形態に係る定置網（網装置）１００には、ビームとしての張り立て棒２０が設けられている。張り立て棒２０は、海中等に垂直にたてられている。この張り立て棒２０に網４０が取り付けられている。
【００５０】
この張り立て棒２０にビームカバー３Ｃが取り付けられている。ビームカバー３Ｃは、上記各実施の形態のビームカバー３Ａ、３Ｂと同様に、張り立て棒２０の流体の流れの後方の渦流の発生を低減する。
【００５１】
この他、海苔網の支持棒又は生簀網のビーム等にもビームカバーを適用可能である。
【００５２】
以上詳細に説明したように、上記各実施の形態によれば、流体の流れに沿って外形断面が流線型となるビームカバー３Ａ等をビーム２等に装着する。このビームカバー３Ａにより、流体の流れにビーム２等を置いたときに発生するビーム２後方の渦流の発生を抑制し、流体抵抗を小さくすることができる。これにより、ビーム２の変形及び振動を抑えることができる。この結果、網口を安定的に開いたままに保持して、網にかかる魚類の逃避を防いで、漁獲効率の低下を防ぐことができる。
【００５３】
すなわち、上記各実施の形態に係る底びき網１等を用いれば、同じ大きさのトロール網４を用いた場合、従来に比べ、漁獲量を増やすことができるうえ、漁獲される魚の種類も増やすことができる。
【００５４】
また、上記各実施の形態によれば、ビーム２に作用する流体抵抗が減少するため、曳網時の燃油消費量を低減することができる。この結果、同じ量の燃料を用いた場合の操業の時間を延ばすことができるし、省エネルギ化を実現することができる。
【００５５】
上記各実施の形態によれば、ビーム２に取り付ける流線型のビームカバーとして、ハードな材質の剛性素材だけでなく、ソフトな材質のものも用いるようにした。柔軟に形状が変化するソフトな材質のビームカバー３Ａであれば、ビーム２の後方の流れの変化によって、ビームカバー３Ａが上下運動をするため、それによってビーム２の後方の渦流を消す効果があり、その結果としてビーム２の振動が効果的に減少する。直径５Ｄのビームカバー３Ａで最も流体抵抗が低くなったのは、この長さのビームカバー３Ａが、流れの変化に対して最適な状態で上下運動をし、渦流の発生を著しく低減したためであると考えられる。なお、ビームカバー３Ａとしては、上述のテント生地（布地）のようなものの他、ポリアミド系などの化学繊維素材、麻などの天然繊維素材、ナイロン樹脂などのプラスチック素材、ポリオレフィン樹脂などのフィルム素材類のもののうち少なくとも１つを用いるようにしてもよい。
【００５６】
なお、ビームカバーをハードな剛性素材で構成した場合であっても、ビームカバー３Ｂのような構成であれば、流体の流れの向きによってビームカバー３Ｂが向きを変えることができるので、流体抵抗を著しく増大させることはない。
【００５７】
ビームカバー３Ａとして布製のものを用いれば、ハード素材（剛性素材）を用いるときに比べ、製造コストも低減することができる。
【００５８】
ビームカバー３Ａは、剛性素材と布地、化学繊維素材、天然繊維素材、プラスチック素材、フィルム素材類の少なくとも１つとの組み合わせで構成されるようにしてもよい。
【００５９】
本実施の形態では、ビームカバー３Ａ、３Ｂを、ビーム２全体を覆うものとしたが、これには限られない。ビーム２の側面の一部を覆うだけでもよい。ただ、ビーム２の後方の渦流の発生を考えれば、ビーム２の側面の大部分は、ビームカバー３Ａ等に覆われていた方がよい。
【００６０】
なお、ビーム自体の断面形状を流線型とすることも考えられるが、そのようなビームの製造コストは非常に高くなるのが一般的である。そこで、本実施の形態に係るビームカバー、特にソフト素材のビームカバー３Ａを用いた方が、製造コストの面で有利である。
【００６１】
また、上記各実施の形態のビームカバー３Ａ、３Ｂは、既存のビームに取り付けることができるので、新たな底びき網を製造する必要はない。この点においても極めて有利である。
【００６２】
なお、ハードな素材で構成されたビームカバー３Ａと、ソフトな素材で構成されたビームカバー３Ｂとを組み合わせてビーム２に取り付けるようにしてもよい。
【００６３】
上記各実施の形態では、ビーム２を、竹又はＦＲＰとしたが、これには限られない。例えば、金属パイプやプラスチックをビーム２として用いてもよい。
【００６４】
底びき網、定置網、海苔網、生簀網であれば適用可能である。また、水中に棒状の構造体を縦、横、斜め（方向に限らない）に設置し、流れが構造体にあたるもの、例えば、棒状の構造体を曳航又は自航するものであれば適用可能である。
【００６５】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６６】
本発明は、底びき網、定置網、海苔網、生簀網、魚礁であれば適用可能である。また、漁業用のものに限らず、棒状の構造体を曳航又は自航するものであれば適用可能である。さらには、流体中に設置される棒状の構造体であれば適用可能である。例えば、水中に設置される橋梁などの構造物である。
【符号の説明】
【００６７】
１  底びき網、２  ビーム、３Ａ、３Ｂ、３Ｃ  ビームカバー、４  トロール網、４Ａ  ヘッドロープ、４Ｂ  グランドロープ、４Ｃ、４Ｄ  袖網部、４Ｅ  袋網部、５Ａ、５Ｂ  ワープ、６Ａ、６Ｂ、７Ａ、７Ｂ  ワイヤ、１０  密着部、１１  張り出し部、２０  張り立て棒、４０  網、１００  網装置。
【図１】
2016119891.tif 000004
【図２】
2016119891.tif 000005
【図３】
2016119891.tif 000006
【図４】
2016119891.tif 000007
【図５】
2016119891.tif 000008
【図６】
2016119891.tif 000009
【図７】
2016119891.tif 000010
【図８】
2016119891.tif 000011
【図９】
2016119891.tif 000012
【図１０】
2016119891.tif 000013
【図１１】
2016119891.tif 000014
【図１２】
2016119891.tif 000015